(57)【要約】【課題】第一のプラスチック材料で出来ている軸芯と、一種以上の他の材料で出来ている可撓性の細枝部を備えてなる、多種材料製塗布用具を提供する。【解決手段】この発明は、ケラチン性繊維に流体状またはペースト状の製品を塗布するための塗布用具に関し、この塗布用具は、長手方向軸線ＸＸに沿って延びる細長の軸芯（１）と、長手方向に向いていて前記長手方向軸芯に少なくとも１つの第一の点において嵌まり込んだ少なくとも１つの柔軟な可撓性の細枝部（２）を備えてなり、軸芯および少なくとも１つの細枝部は、射出成型により一体に作られている。この発明によると、軸芯は、第一のプラスチック材料で出来ており、少なくとも一つの細枝部は、少なくとも１つの第二のプラスチック材料で出来ている。【選択図】図１
2019503772.tif 000002
【特許請求の範囲】
【請求項１】
長手方向軸線ＸＸに沿って延びる細長の軸芯（１）と、長手方向に向いていて前記長手方向軸芯に少なくとも１つの第一の点において嵌まり込んだ少なくとも１つの柔軟な可撓性の細枝部（２）を備えてなり、前記軸芯および前記少なくとも１つの細枝部が射出成型により一体に作られた、ケラチン性繊維に流体状および／またはペースト状の製品を塗布するための用具であって、
前記軸芯は、第一のプラスチック材料で出来ており、前記少なくとも一つの細枝部は、少なくとも１つの第二のプラスチック材料で出来ており、そして前記軸芯を構成する材料と前記少なくとも１つの細枝部を構成する材料の間の最小硬度差は、ショアＡ硬さ＝５またはショアＤ硬さ＝５である
ことを特徴とする塗布用具。
【請求項２】
請求項１に記載の塗布用具において、
前記少なくとも一つの柔軟な細枝部（２）は、前記軸芯の第一の端（１０）の近傍および／または前記軸芯の第二の端（１１）の近傍に嵌まり込んでいる
ことを特徴とする塗布用具。
【請求項３】
請求項１または２のいずれかに記載の塗布用具であって、
第二のプラスチック材料で形成された少なくとも１つの第一の柔軟な細枝部と、
第三のプラスチック材料で形成された少なくとも１つの第二の柔軟な細枝部と
を備えている
ことを特徴とする塗布用具。
【請求項４】
請求項１〜３のいずれかに記載の塗布用具であって、さらに、
前記軸芯（１）にそこから生えて設けられた突起（１３）および／または前記少なくとも１つの細枝部（２）にそこから生えて設けられた突起（２３）を備えている
ことを特徴とする塗布用具。
【請求項５】
請求項４に記載の塗布用具において、
前記突起（１３、２３）は、補長い形を有し、長手方向軸線ＸＸに関して実質的に放射方向に向けられている
ことを特徴とする塗布用具。
【請求項６】
請求項１〜５のいずれかに記載の塗布用具において、
前記少なくとも１つの柔軟な細枝部は、同一の長手方向平面に属する２つの細長い湾曲した部分（２１、２２）で出来ており、当該２つの部分は、互いに実質的に平行であり、一緒に少なくとも１点で前記軸芯に嵌まり込んでいる
ことを特徴とする塗布用具。
【請求項７】
請求項６に記載の塗布用具において、
前記柔軟な細枝部の前記２つの細長い部分は、前記軸芯（１）の両端に近い２つの点において一緒に嵌まり込んでいる
ことを特徴とする塗布用具。
【請求項８】
請求項４〜７のいずれかに記載の塗布用具において、
前記突起（２３）は、前記細枝部（２）の少なくとも１つに設けられ、正面図が花びら形である
ことを特徴とする塗布用具。
【請求項９】
請求項１〜８のいずれかに記載の塗布用具において、
前記軸芯の１つの端は、第二のプラスチック材料で出来ている
ことを特徴とする塗布用具。
【請求項１０】
請求項１〜９のいずれかに記載の塗布用具において、
前記軸芯（１）は、前記軸線ＸＸに沿って実質的に細長の羽根の形を有し、前記細枝部（２）は、外側長手方向エッジ（２６）を介して化粧品を皮膚の上に広げることが可能であり、前記軸芯（１）および前記細枝部（２）が実質的に同一の長手方向平面に配置されている
ことを特徴とする塗布用具。
【請求項１１】
請求項１〜１０のいずれかに記載の塗布用具において、
前記少なくとも１つの柔軟な細枝部（２）は、その両端において嵌まり込んでおり、凸形状を有し、同じ長手方向平面に属する補強用の凹部が設けられている
ことを特徴とする塗布用具。
【請求項１２】
請求項１〜１１のいずれかに記載の塗布用具において、
前記少なくとも１つの細枝部は、波状の形状を有している
ことを特徴とする塗布用具。
【発明の詳細な説明】
【技術分野】
【０００１】
この発明は、まつげまたはまゆ毛などのケラチン性繊維に流体状またはペースト状の製品を塗布するための塗布具の分野に関する。具体的には、この発明がカバーする塗布具は、化粧品、メーキャップ製品またはスキンケア製品を髪の毛、まつげまたはまゆ毛に塗布することを可能にするものである。また、それは、化粧品を各人の皮膚に塗布するのに使用することもできる。
【０００２】
知られている様式では、このような塗布具は、本質的に２つの要素を備えている。細長い形を有する１つの軸芯（コア）と、その上に少なくとも一列の歯またはピンまたは突起が配置されている。これがこのタイプの塗布具を製造する最も簡単なやり方である。
【背景技術】
【０００３】
この種の製品を開示する多くの文献が知られており、それらは、とりわけ、容易で簡単で信頼性の高い要領で均質な仕上がりとなるように、適切な製品を装填しそして塗布するのを可能にすることを目的としている。問題の分野では、そのような塗布具は、装填する機能、分離する機能、画定する機能、またはさらには巻き毛にする機能を果たさなければならないと言われている。
【０００４】
複数の毛条片が規則的にかつ個々に植えつけられた支持物を有するメーキャップブラシが、以前から既に知られており、例えば、文献ＦＲ特許第２，５０５，６３３号で知られている。その発明の特徴の１つによれば、支持物と毛条片（またはピン、または突起）が、単一の成型可能な材料を射出成型することにより形成される。
【０００５】
さらに例を挙げると、文献ＦＲ特許第２，８５０，５４９号が、ケラチン性繊維に製品を塗布するためのブラシであって、複数の毛条片を支持する軸芯（コア）を備えていて、その少なくとも一部がカールして延びているものを開示している。
【０００６】
また、文献ＦＲ特許第２，９０２，９８４号が、軸芯と、その軸芯の外表面に対してそれぞれ異なる方向に向いた少なくとも２列の複数の歯とを含んでなる塗布具を開示している。このタイプの塗布具は、特に、歯がまつげの間などを通り抜けること、まつげの上に製品を滑らかに延ばすこと、そしてそれを分離することについて、製品の塗布を改善することを意図している。
【０００７】
文献ＥＰ特許第１，５９３，３２０号も知られており、それには互いに相対的に動き得る複数の部分、とりわけ、調節素子が軸方向に摺動できる支持部材を有して出来ているマスカラ塗布具が記載されている。この可動性は、その支持素子の変形可能な部分の両端の間の距離を変えることを可能にしている。当該両端の間の距離を変更し、もって調節素子の動きの下に放射方向に変形可能な部分を備えてなる塗布具の外容積を変更するのは、実際の使用者である。したがって、この先行文献は、長手の軸芯と１つのブロックを形成し当該長手の軸芯に少なくとも２点で嵌まり込んでいる少なくとも１つの柔軟な細枝部(tige)を開示していない。
【０００８】
特許出願ＦＲ２，５０６，５８１Ａ１も知られており、それには、上記に開示したのと同じタイプのもので、互いに相対的に可動な複数の部分で出来ているメーキャップブラシが記載されている。
【０００９】
フランス特許ＦＲ２，９６３，２１５からも知られているが、塗布用具を構成する複数の歯の柔軟性を調節および／または制御することを可能にした塗布用具があり、その用具は、よって１つの軸芯と複数列のピンで出来ており、第一の一連のピンが軸芯から長手の細枝部（tige）へと延びているとともに、第二の一連のピンが当該細枝部に接続された第一の端と自由端である第二の端を有している。このタイプの塗布具は、歯（またはピン）の柔軟性を調節および／または制御することを可能にしている。しかしながら、そのような塗布具は、放射方向（半径方向）の柔軟性を欠いており、その放射方向の変形可能性は非常に低く、そのことは、塗布すべき製品の容器の出口に設けられたぬぐい部（ワイパー）と称される円環状要素を通り抜けなければならないときに欠点である。確かに、「装填量」、つまり、この用具によって掬い上げられる製品の分量は、最適ではなく、そのような公知の用具を使うとまつげへの正しい塗布には不十分であろう。
【００１０】
先行技術には、欧州特許出願ＥＰ１１，８１７，３４５もあり、それには、ケラチン性繊維に流体状またはペースト状の製品を塗布するための用具が記載されており、その用具は、長手方向軸線ＸＸに沿って延びる細長の軸芯を備えてプラスチック材料で射出成型により一体に出来ていて、さらに、長手方向に向けられ前記長手の軸芯に少なくとも１つの第一の点と１つの第二の点で嵌まり込んで長手方向軸線ＸＸに垂直な少なくとも１つの曲がり区域が設けられている少なくとも１つの柔軟な可撓性の細枝部を備えている。ピンまたは突起は、軸芯および／または柔軟な細枝部に設けられると好都合であろう。この塗布具で得られる曲がりは興味深いものであるが、この用具は射出成型された単一のプラスチック材料で出来ているので、ここでは幾何学的な違いのみによりその曲がりを変えることが可能である。
【００１１】
したがって、このタイプの塗布具で得られる技術的特徴には限界がある。加えて、使用されるプラスチック材料のレオロジー（流動性）は、軸芯上および柔軟な細枝上に存在するピン（または、突起）のための可能な幾何学的形状を制限し、特具全体にわたって似たような形状および寸法にしなければならない。本発明により提供される利点を読むと分かるように、このことは、特筆すべき技術的欠点である。
【００１２】
二種の異なる材料で出来た塗布具に関しては、特許出願ＥＰ２，６７６，７８１Ａ１が知られており、２種の材料で出来た軸芯を有し、その軸芯の上に同じ２種の材料で出来た複数のピンが各一端を下にして立てられている塗布具を示している。クレイムされている製造方法は、比較的複雑であり、その方法では、特定の決まり切った形および幾何学的形状しか作ることができない。そのような方法で出願ＥＰ１１，８１７，３４５にあるような柔軟な細枝部を形成することは、決して意図されていない。
【先行技術文献】
【特許文献】
【００１３】
【特許文献１】ＦＲ２，５０５，６３３
【特許文献２】ＦＲ２，８５０，５４９
【特許文献３】ＦＲ２，９０２，９８４
【特許文献４】ＥＰ１，５９３，３２０
【特許文献５】ＦＲ２，５０６，５８１Ａ１
【特許文献６】ＦＲ２，９６３，２１５
【特許文献７】欧州特許出願ＥＰ１１，８１７，３４５
【特許文献８】特許出願ＥＰ２，６７６，７８１Ａ１
【発明の概要】
【発明が解決しようとする課題】
【００１４】
この発明は、従来技術の欠点を克服することを目的とし、とりわけ、軸芯が第一のプラスチック材料で出来ていて、可撓性の細枝部が一種以上の他の材料で出来ている、多種材料製塗布具を提供することを目的とする。
【課題を解決するための手段】
【００１５】
したがって、この発明は、ケラチン性繊維に流体状および／またはペースト状の製品を塗布するための用具に関し、当該用具は、長手方向軸線ＸＸに沿って延びる細長の軸芯（コア）と、長手方向に向けられ長手の軸芯に少なくとも１つの第一の点で嵌まり込んだ少なくとも一つの柔軟な可撓性の細枝部とを備えてなり、軸芯と前記少なくとも１つの細枝部が射出成型により一体に得られるものである。
【００１６】
この発明の第一の面によれば、軸芯は、第一のプラスチック材料で出来ており、前記少なくとも１つの細枝部は、少なくとも１つの第二のプラスチック材料で出来ている。
【００１７】
当業者は、要求に最も適していてかつ射出段階および成型段階の間に良好な挙動を呈するプラスチック材料、または熱可塑性ポリマーを選択する。とりわけ、プラスチック材料の化学的性質および硬さは、ケラチン性繊維にまたは使用者の皮膚に塗布されるべき化粧品の組成に適合させることができる。
【００１８】
この発明の一実施形態によると、前記少なくとも１つの柔軟な細枝部は、軸芯の第一の端部の近くおよび／または軸芯の第二の端部の近くに嵌まり込んでいる。
【００１９】
より特定的には、この用具は、第二のプラスチック材料で形成された少なくとも１つの第一の柔軟な細枝部と、第三のプラスチック材料で形成された少なくとも１つの第二の柔軟な細枝部とを備えている。
【００２０】
興味深いことに、この塗布用具は、軸芯および／または前記少なくとも１つの細枝部から生えていてそれらの上に設けられた突起（または、ピン）も備えている。非常に興味深いことに、この発明による塗布用具は、それぞれ軸芯および可撓性の細枝部から生えている異なる材料で出来たピンを有することができる。この発明による用具が出来ているプラスチック材料は、関連する化粧品組成物の容量と直接の関係を有し、その挙動はそれに応じて異なってくる。
【００２１】
突起は、好ましくは、細長い形を有し、長手方向軸線ＸＸに関して実質的に放射状（半径方向）に向けられている。
【００２２】
この発明の１つの具体的な実施形態によると、前記少なくとも１つの柔軟な細枝部は、同じ長手方向平面に属する２つの細長い部分で出来ており、その２つの部分は、互いに実質的に平行で湾曲していて、少なくとも１点で一緒に軸芯に嵌まり込んでいる。このようにして、長手方向に「補強された」細枝部が提供される。
【００２３】
柔軟な細枝部の前記２つの細長い部分は、好ましくは、軸芯の両端近くの２つの点で一緒に嵌まり込んでいる。
【００２４】
この発明の範囲から逸脱しないで、前記突起は、前記細枝部の少なくとも１つの上に設けることができ、そして正面図において花びら形とすることができる。
【００２５】
さらに、軸芯の一方の端には、第二のプラスチック材料で出来た突起を設けることができる。
【００２６】
さらに、軸芯を構成する材料と前記少なくとも１つの細枝部を構成する１つ以上の材料との間の最小硬度差は、ショアＡ硬さ＝５またはショアＤ硬さ＝５である。
【００２７】
この発明の他の実施形態によると、軸芯は、軸線ＸＸに沿った実質的に細長い羽根の形を有しており、前記細枝部は、外側の長手縁を介して化粧品組成物を皮膚の上に広げることができ、軸芯と細枝部は、実質的に同一長手方向平面内に配置されている。細枝部の外側縁は、とりわけ、使用者の皮膚の上に組成物を広げることを可能にしている。ここに、細枝部は、アイライナーの役を果たし、ここに、軸芯は、その外表面上に一端を下にして、好ましくは、当該表面に垂直に立っている突起を備えている。突起は、まつげなどケラチン性繊維に適当な組成物を広げることが可能である。ここに、少なくとも２つの機能、つまり、少なくとも１つの組成物を皮膚の上に広げることおよびケラチン性繊維の上に広げることを果たす用具が作られる。
【００２８】
この発明によれば、前記少なくとも１つの柔軟な細枝部は、その両端のところで嵌まり込んでおり、凸形状を有し、同じ長手方向平面に属する補強用の凹部が設けられている。
【００２９】
さらに、前記少なくとも１つの細枝部は、波状の形状を有することができる。１つ以上の波状湾曲（波）が当該波状形状を構成することができる。少なくとも２つの方向に向いて並置された直線状の断片部が前記細枝部の少なくとも１つを構成することができる。
【００３０】
この発明の他の特徴および利点は、添付の図面を参照して以下の説明から明らかになるであろう。
【発明の効果】
【００３１】
第一のプラスチック材料で出来ている軸芯と、一種以上の他の材料で出来ている可撓性の細枝部とを備えてなる、多種材料製塗布具を提供することができる。
【図面の簡単な説明】
【００３２】
【図１】この発明の第一の実施形態による塗布用具の斜視図である。
【図１Ａ】図１の用具の正面図である。
【図２】この発明の第二の実施形態による斜視図である。
【図２Ａ】図２による用具の正面図である。
【図３】第三の実施形態による用具の側面図である。
【図４】第一の形状を有する細長の細枝部が設けられた塗布用具の側面図を示す線図である。
【図５】別の形状を有する細長の細枝部が設けられた塗布用具の側面図を示す線図である。
【図６】別の形状を有する細長の細枝部が設けられた塗布用具の側面図を示す線図である。
【図７】別の形状を有する細長の細枝部が設けられた塗布用具の側面図を示す線図である。
【図８】別の形状を有する細長の細枝部が設けられた塗布用具の側面図を示す線図である。
【図９】別の形状を有する細長の細枝部が設けられた塗布用具の側面図を示す線図である。
【図１０】別の形状を有する細長の細枝部が設けられた塗布用具の側面図を示す線図である。
【図１１】二重アーチで構成された単一の可撓性の細長い細枝部を備えてなる二材料製塗布具の側面図である。
【図１２】複数の二重アーチタイプの細長い細枝部を備えてなる三材料製塗布具の斜視図である。
【図１３】図１２の変形であり、各々が二材料製である複数の二重アーチタイプの細枝部を示す。
【図１４】花びら形のピンが設けられた複数の可撓性の細枝部を有する二材料製塗布具の図である。
【図１４Ａ】図１４の塗布具の正面図である。
【図１５】図１４の実施形態の変形例の斜視図である。
【図１６】その全長で実質的に羽根形状の塗布具の変形例を示す。
【図１７】その全長で実質的に羽根形状の塗布具の変形例を示す。
【発明を実施するための形態】
【００３３】
さらに明確にするために、同一のまたは類似の要素は、全部の図面において同一の参照符号により同定される。
【００３４】
図１は、この発明の第一の実施形態を示し、それによると、塗布用具は、例えば円柱形で長手方向軸線ＸＸに沿って細長い軸芯１とともに、長手方向に向けられた可撓性の柔軟な細枝部(tige)２を備えている。ここに、細枝部２は軸芯１に２点において嵌まり込んでおり、第一の点は、軸芯１の第一の端１０の近くの箇所であり、第二の点は、軸芯１の第二の端１１の近くの箇所である。第一の端は、この明細書では、「近位端」と称されることもでき、他方、軸芯１の第二の端１１は、「遠位端」と称されることができる。図１による塗布具は、細長で一端を下にして軸芯１上におよび細枝部２上に立てられているピン１３、２３も備えている。ピン１３、２３は、好ましくは、軸芯１に対して放射方向に向けられており、その数は当業者により選択されており、その密度および長さもそうである。これらのパラメータは、とりわけ、塗布されるべき化粧品組成物（または、流体状および／またはペースト状製品）の性質の関数として選択される。
【００３５】
図１Ａは、遠位端１１から見た正面図で、そのような塗布用具を示す。この図は、遠位端１１がここでは球形の延長部分２０でいくぶん覆われていて、そこからピンが生えていることも示している。球部分２０上にピンが存在することは、軸芯１上にピン１３が存在することと同様に、選択随意である。細枝部２から出るピン２３が少なくとも設けられている。
【００３６】
注目すべきことに、軸芯１および前記細枝部２は、異なるプラスチック材料で出来ており、射出成型により一体に得られる。射出段階と型外し段階の間に良好な挙動を有する熱可塑性ポリマーが当業者により好都合に選択される。この特徴は、ポリマーの化学的性質および硬さを塗布されるべき化粧品組成物の挙動に適合させることを可能にする。とりわけ、軸芯およびピンの上での組成物または化学式物質の濡れ性および接着挙動は、塗布具の化学的性質に応じて異なる。各タイプの化学式物質は、特有の粘性と表面張力を有しているので、所与のプラスチック材料に関して決まった挙動を有する。塗布具を型で製造するために使われる材料は、その表面を「濡らし」てそこに「接着する」化学組成物の能力に依存し直接影響される。とりわけ、化学組成物は、塗布具の表面の性質に応じて多かれ少なかれ塗布具の表面に保たれる。化学組成物の容器の首部に配置された一種のリングである拭い部（ワイパー）を塗布具が繰返し通り抜けるよう意図されているということが分かっていると、この効果は非常に重要である。通り抜ける度に、ある分量の組成物が塗布具に付着したまま残り、残りの分量が容器の内部に捕らえられる。
【００３７】
実例を挙げると、軸芯１に使われる第一のプラスチックは、ＳＥＢＳ（ポリスチレン−ｂ−ポリ（エチレンブチレン）−ｂ−ポリスチレンまたはＰＰ／ＥＰＤＭ（エチレン−プロピレン−ジエン−モノマーなどのＴＰＥ（熱可塑性エラストマー）であり、可撓性の細枝部に使われる第二のプラスチック材料は、Ｈｙｔｒｅｌ（商標）またはＰＥ（ポリエチレン）ファミリーに属するＴＰＥである。明らかに、軸芯１から生えているピン１３は、第一の材料で出来ており、可撓性の細枝部２から生えているピン２３は、第二の材料で出来ている。このように、可撓性の細枝部２および軸芯１として異なるピン形状を提供することが可能である。この特徴は、意図することができ、従来の流動学（レオロジー）の法則と適合し、もし塗布具が従来技術におけるように単一の材料で型成型されると、この可能性は存在しない。したがって、この発明による塗布具を型成型で単一部品として製造するために複数のプラスチック材料を使うことから、一定の決定的な利点がもたらされる。
【００３８】
以下に説明するように、ピンは細長い形を有しているが、この発明の範囲を逸脱しないで多種多様な形を目論むことができる。ピンは、必ずしも真っ直ぐでなくてもよく、曲がっていることも可能で、全部が同じ方向に曲がっていてもそうでなくてもよい。また、ピンは、鉤形であることも可能である。
【００３９】
軸芯１に使われる第一のプラスチック材料と柔軟な細枝部に使われる第二のプラスチック材料の間の硬度差は、ショアＡ硬さ＝５とショアＤ硬さ＝５の間である。実例を挙げると、第一のプラスチック材料は、ショアＡ硬さ＝７０の硬さを有しており、第二のプラスチック材料は、ショアＡ硬さ＝９０である。
【００４０】
図２は、設けられている可撓性の細枝部２の数が図１のものと異なる実施形態を示し、ここでは２つの可撓性細枝部２が設けられており、同じ長手方向平面内に、つまり、１８０度の角度隔てて配置されている。この実施例によると、２つの細枝部は、同じ形で同じ大きさを有している。図２Ａは、長手方向平面に関して対称であるこの配置を明瞭に示している。各細枝部２は、軸芯１の材料とは異なる同じ材料で出来ている。
【００４１】
図３は、軸芯の端部１０、１１の近くで各々嵌まり込んでいる凸形をした２つの細枝部２が設けられた一実施形態を示す。両細枝部は、１つの長手方向平面に属する。複数の真っ直ぐなピン１３が軸芯１から生えており、複数の曲がったピン２３が各可撓性の細枝部２から生えている。真っ直ぐなピン１３は、共通の長手方向平面内に位置する平らな表面を有することもできる。
【００４２】
図４〜１０は、可撓性の細枝部２の各種変形例を線図的に示し、これにより、可撓性の細枝部が軸芯の両端においてだけでなく１つまたは２つの追加の点においても嵌まり込んでいることができるということが理解できる。
【００４３】
図４は、２つの細枝部２を示しており、１つのもの２Ａは、両端と１つの中間点で嵌まり込んでおり、第二のもの２Ｂは、両端と２つの中間点で嵌まり込んでいる。
【００４４】
図５は、実質的に両端で嵌まり込んでいる単一の細枝部２Ｃが設けられている実施例を示す。細枝部２Ｃは、その長手に沿って３つの波状湾曲のある波状の形状を有している。
【００４５】
図６は、１８０度の角度隔てて同一の長手方向平面内に延びる２つの細枝部２Ｄ、２Ｅを持った実施形態を示す。各細枝部２Ｄ、２Ｅは、実質的にＸＸ軸線に沿って延びる真っ直ぐな主部分と、実質的に主部に垂直に延びる２つの部分とを有している。一実施形態のこの実施例の利点は、ということにある。
【００４６】
図７は、実質的に長手方向の主部分と、軸芯１の各端１０、１１の近くで各々嵌まり込んでいる２つの垂直部分とを有する単一の可撓性細枝部２Ｆを示す。
【００４７】
図８は、実質的に同じ長手方向平面に属する２つの可撓性の細枝部２Ｇ、２Ｈが設けられた塗布具に関し、細枝部２Ｇは、長手方向軸線ＸＸに平行に延びる波状部分と、波状部分の両端にそれぞれ接続され、軸芯１にそれぞれ嵌まり込んだ２つの垂直部分またはタブとを有している。細枝部２Ｈは、凸に曲がっていて、実質的に細枝部２Ｇと同じ箇所で嵌まり込んでいる。
【００４８】
図９は、軸芯１に各１点で嵌まり込んだ２つの可撓性の細枝部２Ｉが設けられた塗布具を示し、具体的に説明すると、各細枝部２Ｉは、軸芯の各端部１０、１１の近くに付けられており、さらに、各可撓性の細枝部は、第二の端が自由端である。これは、各細枝部２Ｉの一端が自由端になっていることにより、前述の諸実施例におけるよりも高い可撓性を生み出している。より長いまたはより短い長手方向のスペースが設けられ、当業者が状況に応じてこの寸法パラメータを定める。この長手方向のスペースは、軸芯１の長さの１０％のオーダーであることができる。
【００４９】
図１０は、図９のものと可撓性の細枝部２Ｊの長手方向の構成で異なる実施例を示し、３つの可撓性の細枝部２Ｊが一点で軸芯１に嵌まり込んでいて、別の端が自由端になっている。別の可撓性の細枝部が、その両端で嵌まり込んでいる。軸芯の各端１０、１１の近くに嵌まり込み部設がけられ、中間の嵌まり込み部も設けられている。
【００５０】
図１１は、同じ長手方向平面に属する２つの細長の部分２１、２２で細枝部２が出来ている実施形態を示す。実質的に長手方向軸線ＸＸに平行に延びる２つの細長の部分は、互いに実質的に平行であり、一緒になって２点で嵌まり込んでいる。２つの嵌まり込んでいる点は、軸心１の各端１０、１１に近接している。ここに、二重のアーチが構成されて、一重のアーチに比べて機械的に補強されている。この配置構成は、アーチの下方に中間空洞部を作って化学式物質（または、組成物）を捕らえることを可能にしようとするときには、興味深い。これは、塗布具に装填する容量を化学式物質の粘性の関数として巧みに調節することを可能にする。
【００５１】
この発明の範囲から逸脱することなしに、２つの細長い部分２１、２２のために単一の嵌まり込み点を設けること、または３つ以上の嵌まり込み点を設けることが可能である。
【００５２】
明らかに、いずれの場合も、軸心１は、第一の材料で出来ており、細枝部２は、少なくとも一種の第二の材料で出来ている。
【００５３】
図１２は、図１１のものとより多くの数の細長の部分２１、２２または対を有する点で異なる実施形態に関する。ここでは、各対が一定の角度で分布されている６対の細長の部分が数えられる。加えて、ここでは、第一の材料および第二のプラスチック材料の両方と異なる第三のプラスチック材料を含むように選択されている。軸心は、第一のプラスチック材料で出来ており、３対の細長の部分は、第二のプラスチック材料で出来ており、３対の細長の部分は、第三のプラスチック材料で出来ている。このようにして、塗布具の周りに異なる効果および、したがって、異なる技術的作用を得ることが可能である。メーキャップ作業の間、使用者は、塗布具がまつげと接触するときにＸＸ軸線の周りに塗布具を回す。これにより、まつげは、異なる堅さを有するピンと接触し、交互に感触がある。
【００５４】
図１３は、さらに、可撓性の細長の部分２１、２２のプラスチック材料のための別の可能な組合せを示す。対を成す、すなわち、長手方向平面内で実質的に重なり合っている可撓性の細長の部分２１、２２は、ここでは、それぞれ第二のプラスチック材料と第三のプラスチック材料で形成されている。
【００５５】
さらに、対の数は、当業者により選択されて変更可能である。
【００５６】
図１４は、軸心１にピン１３が放射方向に向いて複数の列にわたって長手方向に分布して設けられている実施形態に関する。この図の他の箇所については、必須ではない。図１４の塗布具は、２つの可撓性の細枝部２も備えており、各々軸心１の一端１０、１１の近くで嵌まり込んでいる。可撓性の細枝部２は、曲がっており、凸状である。それらには、同じ平面に属する凹形の長手方向補強構造２５も設けられている。さらに、可撓性の細枝部２には、ここでは、正面図において花びら形の突起２３が設けられている。図１４Ａは、当該正面図でこの構成を明瞭に示している。２つの可撓性の細枝部２は、互いに直径方向反対側に配置されていて、花びら形の突起２３が設けられているということが分かる。図１４Ａの実施例においては、軸心から生えている６列の突起１３が設けられていて、長手方向平面に関して対称に配置されていることも見える。この実施形態は、同じ塗布具に２つの異なる機能（ブラシ／櫛）を持たせようとする場合に、選択される。ブラシは、アーチのない部分（ピン１３が設けられた軸心１）で構成され、櫛は、ピン２３がアーチ２で支持されている部分で構成される。互いに対して１８０度の角度で隔たっている２つのアーチ２は、櫛の部分に達するのに使用者は１８０度以内回しさえすればよいことを意味する。
【００５７】
図１５は、花びら形２３が設けられた可撓性の細枝部２の列とピン１３の列が角度的に交互になっていることを示す点において、図１４の変形例である。これは、全体的により堅い塗布具を提供する。ここでは、軸心１から生えている４列のピン１３と関連させて４列の花びら形のピン２３が並んでいる。
【００５８】
図１６は、代案を描写するもので、突起のない可撓性の細枝部２が設けられ、加えて、長手方向軸線ＸＸに沿って細長の軸心１が設けられて、実質的に羽根の形をしている。細枝部２および、特にその外側エッジ２６が、ライナーの要領で化粧品を使用者の皮膚に広げることを可能にしている。突起またはピン１３は、軸心１上に設けられており、ピン１３は、好ましくは軸心１の外表面に垂直に向けられている。細枝部２および軸心１は、図１７の斜視図に示すように同じ長手方向平面内に設けられていて、塗布具は、全体的に細長い平らな形をしている。
【符号の説明】
【００５９】
ＸＸ…長手方向軸線、１…軸芯、１０…軸芯の近位端、１１…軸芯の遠位端、１３…ピン、２…細枝部、２０…球部分、２１…細枝部、２２…細枝部、２３…ピン（突起）、２５…長手方向補強構造、２６…外側長手方向エッジ。
【図１】
2019503772.tif 000003
【図１Ａ】
2019503772.tif 000004
【図２】
2019503772.tif 000005
【図２Ａ】
2019503772.tif 000006
【図３】
2019503772.tif 000007
【図４】
2019503772.tif 000008
【図５】
2019503772.tif 000009
【図６】
2019503772.tif 000010
【図７】
2019503772.tif 000011
【図８】
2019503772.tif 000012
【図９】
2019503772.tif 000013
【図１０】
2019503772.tif 000014
【図１１】
2019503772.tif 000015
【図１２】
2019503772.tif 000016
【図１３】
2019503772.tif 000017
【図１４】
2019503772.tif 000018
【図１４Ａ】
2019503772.tif 000019
【図１５】
2019503772.tif 000020
【図１６】
2019503772.tif 000021
【図１７】
2019503772.tif 000022
【国際調査報告】
2019503772.tif 000023
2019503772.tif 000024
2019503772.tif 000025
2019503772.tif 000026
2019503772.tif 000027
2019503772.tif 000028